(57)【要約】      （修正有）【課題】屋内外の何れでも使用でき、見栄え良く高級感のある、堅牢な小型門松を提供する。【解決手段】底部付近に１つの節１ａを有し底面外周が略平らな大径竹筒１，大径竹筒１の内部に配置されかつ大径竹筒１の壁１ｃに止着された小径竹筒２，…，及び大径竹筒１の内壁と小径竹筒２，…との空隙に充填された藁５，…を具えてなる小型門松であって、節１ａに１又は２以上の排水孔が穿設されている。小径竹筒２，…には縄索６が巻回され結び目が形成されていて、藁５，…には小松７，…，センリョウ８，…等が挿入されている。【選択図】図１
0003142801.tif 000002
【実用新案登録請求の範囲】
【請求項１】
底部付近に１つの節を有し底面外周が略平らな大径竹筒，大径竹筒の内部に配置されかつ大径竹筒の壁に止着された小径竹筒，及び大径竹筒の内壁と小径竹筒との空隙に充填された藁を具えてなることを特徴とする小型門松。
【請求項２】
互いに連結された２本以上の小径竹筒を具えてなることを特徴とする請求項１に記載の小型門松。
【請求項３】
節に、１又は２以上の排水孔が穿設されてなることを特徴とする請求項１又は請求項２に記載の小型門松。
【請求項４】
木材又は竹材からなる止着材によって、小径竹筒が大径竹筒の壁に止着されてなることを特徴とする請求項１乃至請求項３の何れか１項に記載の小型門松。
【考案の詳細な説明】
【技術分野】
【０００１】
本考案は、小型門松に関する。
【背景技術】
【０００２】
従来の門松は、大型であり、一般的には、年末から松の内又は小正月迄の間、門の前に飾られていた。しかし、集合住宅においては、戸別の玄関として狭いドアが設けられているのみであり、ドアの開閉に支障を来すから、大型の門松を飾ることができない。玄関が共用の通路に面しているために、門松を飾ると、通行を妨げる問題もある。また、従来の門松は、大型であるために、廃棄することも困難であった。
【０００３】
小型門松に関する発明又は考案が開示されている。例えば、生地としての縮緬を紙管上に巻着してなる１本の円筒状部材の周囲に、飾り物と造花の松を接着固定し、該円筒状部材の下方周縁部にコモを縛り付けて固定してなることを特徴とする飾り門松が開示されている（例えば、特許文献１参照）。
【０００４】
また、松飾り等を筒状覆いに収納したミニチュア門松において、上記筒状覆いを畳表で構成したうえ、上下方向に整列したいぐさの長さ方向に所定間隔で配設された畳糸の最下部の糸を抜き、かついぐさの下部を外方に向けて放射状に折り曲げたことを特徴とするミニチュア門松が開示されている（例えば、特許文献２参照）。
【０００５】
【特許文献１】特開２００５−１７７１１７号公報
【特許文献２】実開平４−５９７８２号公報
【考案の開示】
【考案が解決しようとする課題】
【０００６】
しかしながら、上記特許文献１に記載の飾り門松は、主たる構造材が紙であるから、構造脆弱であり、使用中に分解又は損傷する虞がある。質感に乏しい紙を主体に作成されていて、安っぽい印象を与える。軽量で耐水性に劣るから、風雨に曝されて吹き飛ばされ、分解し、又は損傷する虞があり、屋外で使用することはできない。
【０００７】
特許文献２に記載のミニチュア門松は、畳表が最外周に現れるため、見栄えが悪く安っぽい印象を与える。また、畳糸の最下部の糸を抜いているために畳表が解れ易く、いぐさの小片が飛散し、更に見栄え悪くなるし、清掃にも手間が掛かる。
【０００８】
上記問題点に鑑み、本考案は、屋内外の何れでも使用でき、見栄え良く高級感のある、堅牢な小型門松を提供することを課題とする。
【課題を解決するための手段】
【０００９】
上記課題を解決する本考案の小型門松は、底部付近に１つの節を有し底面外周が略平らな大径竹筒，大径竹筒の内部に配置されると共に大径竹筒の壁に止着された小径竹筒，及び大径竹筒の内壁と小径竹筒との空隙に充填された藁を具えてなる。
【００１０】
第２の考案は、第１の考案に係る小型門松であって、互いに連結された２本以上の小径竹筒を具えてなる小型門松である。
【００１１】
第３の考案は、第１又は第２の考案に係る小型門松であって、節に、１又は２以上の排水孔が穿設されてなる。
【００１２】
第４の考案は、木材又は竹材からなる止着材によって、小径竹筒が大径竹筒の壁に止着されてなることを特徴とする第１乃至第３の考案の何れかに係る小型門松である。
【考案の効果】
【００１３】
本考案の小型門松を形成する大径竹筒及び小径竹筒は、何れも強靭な竹製であって、外力に抗してその形状を維持することができ、例え転倒したとしても容易に損傷しない。
【００１４】
小径竹筒が大径竹筒の壁に止着されているから、大径竹筒に対する小径竹筒の相対位置は維持される。大径竹筒の内壁と小径竹筒との空隙に藁が充填されているから、小径竹筒の動きが制限されると共に、藁も容易に抜けない構造とされている。小径竹筒若しくは藁が大径竹筒から抜けて小型門松が分解し、又は小径竹筒の位置がずれて小型門松の形が崩れることが回避される。
【００１５】
本考案に係る小型門松は、叙上の通り堅牢な構造であり、且つ、従来の門松と酷似した、高級感のある優れた外観を具えている。
【００１６】
本考案に係る小型門松は、紙等の極めて軽い材料を用いていないから、風に抗する充分な重量を有していて、且つ底面の外周が略平らとされているから、安定に載置される。上記の通り、堅牢な構造であるから、風に煽られても容易に分解しない。紙等の非耐水性材料を用いていないから、雨に濡れても強度が低下せず、分解又は形崩れを起こし難い。また、小型であるからドアの開閉や通行の妨げとならず、屋内は元より、屋外に飾り使用することも可能である。
【００１７】
第２の考案に係る小型門松は、複数の小径竹筒を具えていて、より優れた外観を呈する。小径竹筒が互いに連結されているから、分解又は損傷する虞が無い。
【００１８】
第３の考案に係る小型門松は、節に排水孔が穿設されているから、大径竹筒内に雨水が溜まることが回避され、屋外での使用に、より適している。
【００１９】
第４の考案に係る小型門松は、天然物を中心とする可燃性材料のみで作成されているから、環境に対する負荷を懸念せず、焼却処分することができる。
【考案を実施するための最良の形態】
【００２０】
以下、本考案を実施するための最良の形態を、実施例を示す図面を参照しつつ詳細に説明するが、本考案はこれらに限定されるものではない。
【実施例】
【００２１】
図１は、本考案の実施例を示す正面図である。図２は、本考案の実施例を示す上面図である。図３は、本考案の実施例を示す底面図である。また、図４は、大径竹筒及び小径竹筒の一部を断面で示した、本考案の実施例を示す一部断面側面図である。
【００２２】
本考案に係る小型門松は、図１乃至図４に示される様に、底部付近に１つの節１ａを有し底面外周１ｂが略平らな大径竹筒１，大径竹筒１の内部に配置されると共に大径竹筒１の壁１ｃに止着された小径竹筒２，…，及び大径竹筒１の内壁と小径竹筒２，…との空隙に充填された藁５，…を具えてなる。
【００２３】
大径竹筒１は、イネ科タケ亜科に属する植物の稈で作成される。材料として用いられるタケ亜科植物の属及び種は特に限定されないが、入手し易く、適度な直径及び節間長を有し、真直ぐな竹筒を得易いマダケ属が好適であって、強靭で見栄えの良いマダケ，モウソウチク又はハチクがより好適である。また、大径竹筒１は、切り出した生の材料で作成されていても良く、乾燥された材料で作成されていても良い。
【００２４】
竹の節間を斜めに切断し「そぎ」の形状とすると共に、節の下方を略水平に切断することで、大径竹筒１は作成されている。上端切断面１ｄは必ずしも「そぎ」の形状に限られず、水平に切断され「寸胴」の形状とされていても良い。大径竹筒１は、１つの節１ａを有する形状に限られず、２以上の節１ａ，…を有していても良いが、より優れた外観を与えるために、１つの節１ａのみを有することが好ましい。
【００２５】
小径竹筒２，…は、イネ科タケ亜科に属する植物の稈で作成される。材料として用いられるタケ亜科植物の属及び種は特に限定されないが、入手し易く、適度な直径及び節間長を有し、真直ぐな竹筒を得易いマダケ属が好適であって、強靭で見栄えの良いマダケ，モウソウチク又はハチクがより好適である。また、小径竹筒２，…は、切り出した生の材料で作成されていても良く、乾燥された材料で作成されていても良い。
【００２６】
実施例の小型門松においては、竹の節間を斜めに切断し、上端切断面２ｂ，…が「そぎ」の形状とされた３本の小径竹筒２，…が、互いに連結されている。小径竹筒２，…の上端切断面２ｂ，…は必ずしも「そぎ」の形状に限られず、全ての小径竹筒２，…が「寸胴」の形状とされていても良く、一部が「そぎ」とされると共に他が「寸胴」とされていても良い。全てが「そぎ」の形状とされている場合には、小径竹筒２，…の上端切断面２ｂ，…が、見栄え良く同一平面上にあることが好ましい。図４において、小径竹筒２，…の下端は略水平に切断されているが、大径竹筒１内に安定に配置されれば、必ずしもこの形状に限定されない。また、小径竹筒２，…の数は大径竹筒１内に安定に配置されれば必ずしも３本に限られず、１本又は２本以上の任意本数であって良いが、一般的な門松と同じく３本とされていることが好ましい。更にまた、小径竹筒２，…の有する節２ａ，…の数は、特に限定されず、１又は２以上の任意の数で良く、又は節２ａ，…を全く持たない小径竹筒２，…を用いても良い。
【００２７】
小径竹筒２，…は、大径竹筒１内において粘着テープ４が巻回され、互いに連結されている。小径竹筒２，…を連結する手段は特に限定されず、例えば、縄索，索条等の可撓性長尺物で結索されていても良く、接着剤によって互いに接着されていても良く、又は、釘等の止着材で止着されていても良いが、簡便な操作で強く連結できる様、粘着テープ４を巻回して連結されることが好ましい。粘着テープ４の材質は特に限定されず、例えば、表面に接着剤が塗布された、ポリプロピレン，ポリエステル，ポリ塩化ビニル等の合成樹脂，布，又はクラフト紙が用いられる。粘着テープ４は、大径竹筒１内に配置されることによって、大径竹筒１の壁１ｃ及び藁５，…に隠れ、門松の外観を損なうことがない。
【００２８】
大径竹筒１の壁１ｃ及び１本の小径竹筒２に穿設された小孔に、上下２本の止着材３，３が嵌挿されて、小径竹筒２，…は大径竹筒１に止着されている。止着材３，３の材質は、剛性を有する材質であれば限定されず、例えば、鉄，炭素鋼等の剛性を有する金属，ポリプロピレン，ポリスチレン，ポリ塩化ビニル等の剛性を有する合成樹脂，木材又は竹材が用いられる。本考案を構成する全ての部材を可燃性の材料で作成し焼却処分可能とするために、止着材３，３の材質としては、可燃性の木材，竹材又は剛性を有する合成樹脂が好ましく、焼却しても有害ガスを発生し難い木材又は竹材がより好ましい。市販の木製又は竹製の串や爪楊枝を止着材３，３に用い、大径竹筒１の壁１ｃの後端面から突出した部分を切除して用いても良い。
【００２９】
止着材３，３の形状は、特に限定されない。また、小孔に接着剤で接着されていても良く、又は嵌挿のみによって小孔に固定されていても良い。図４において、止着材３，３の前端は、当該止着材３，３の止着された小径竹筒２の前壁に達しているが、本考案の前面に現れなければ必ずしもこれに限られず、小径竹筒２の前壁に到らなくても良く、又は小径竹筒２の前壁を貫通して藁５，…内に達していても良い。
【００３０】
また、止着材３，…の数及び位置は特に限定されないが、小径竹筒２，…の揺動を抑制するために、２箇所以上に設けられていることが好ましく、見栄え良くするために、前から見えない位置に設けられていることが好ましい。また、一本の小径竹筒２のみが止着されていることに限られず、２本以上の小径竹筒２，…が大径竹筒１の壁１ｃに止着されていても良い。
【００３１】
藁５，…が、大径竹筒１内に、長手方向を縦にして充填されている。藁５，…は、イネ，ムギ又はマコモの茎を干したものであれば良く、材料として用いる植物の品種を、特に限定するものではない。また、イネ，ムギ及びマコモから選ばれる、２以上の植物の藁が混合されていても良い。藁５，…の方向は、必ずしも長手方向を縦にすることに限られず、例えば、長手方向を横にして小径竹筒２，…を囲う様にしていても良く、又は不規則に充填されていても良いが、藁５，…が容易に抜けない様に、長手方向を縦にして充填されていることが好ましい。充填される藁５，…の量は特に限定されないが、大径竹筒１の上端切断面１ｄが「そぎ」の形状とされている場合には、図４に示される様に、藁５，…の上端が大径竹筒１の上端切断面１ｄと略同一平面を成す様に切り揃えられていることが好ましい。止着材３，３が表面に現れることが回避されると共に、優れた外観を呈するからである。
【００３２】
大径竹筒１の節１ａには、図３及び図４に示される様に１個の排水孔１ｅが穿設されていて、大径竹筒１内に浸入した雨水等の液体が排出される様にされている。１つの節１ａに穿設される排水孔１ｅの形状，大きさ，位置及び数は、節１ａが脆弱とならない限り、特に限定されない。大径竹筒１が２以上の節１ａ，…を有する場合には、全ての節１ａ，…に排水孔１ｅ，…が設けられる。
【００３３】
本考案は上記の様に構成されるが、上記以外の部材が添え飾られることを妨げるものではない。例えば、図１，図２及び図４に示される様に、小径竹筒２に縄索６が巻回されて結び目が形成されていても良く、又は小松７，…若しくはセンリョウ８，…が藁５，…に挿入されていても良い。また、例えば、マツ，ウメ，ナンテン，マンリョウ，ササ，ユズリハ，ハボタン，及び熊手飾りから選ばれる1種又は２種以上の部材が、藁５，…に挿入されていても良い。
【図面の簡単な説明】
【００３４】
【図１】本考案の実施例を示す正面図である。
【図２】本考案の実施例を示す上面図である。
【図３】本考案の実施例を示す底面図である。
【図４】大径竹筒及び小径竹筒の一部を断面で示した、本考案の実施例を示す一部断面側面図である。
【符号の説明】
【００３５】
１  大径竹筒
１ａ，２ａ  節
１ｂ  底面外周
１ｃ  壁
１ｄ，２ｂ  上端切断面
１ｅ  排水孔
２  小径竹筒
３  止着材
４  粘着テープ
５  藁
６  縄索
７  小松
８  センリョウ
【図１】
0003142801.tif 000003
【図２】
0003142801.tif 000004
【図３】
0003142801.tif 000005
【図４】
0003142801.tif 000006